(57)【要約】      （修正有）【課題】外観が良く、部品点数を削減し、かつ、三つ折り状態の係合を確実に保持できる時計バンド用ブッシュ式中留を提供する。【解決手段】上箱２０には、プッシュ部材を上箱２０の外側へ付勢するようにカバーする外装部材と、外装部材を上箱２０に取り付ける取付ピンを備えて、外装部材が裏面側にプッシュ部材の付勢を規制する規制部を有する。下板６０にはロック部材７０を備え、上箱２０に当接したロック部材７０が上箱２０から表出するプッシュ部材のプッシュ部３１を覆い隠すとともに、上箱２０に当接したロック部材７０の係合孔７１が上箱２０から突出する取付ピンの両端部４１に嵌合する。【選択図】図１
0003143552.tif 000002
【実用新案登録請求の範囲】
【請求項１】
三つ折りされる上箱と中板と下板とを備えた時計バンド用プッシュ式中留であって、
上箱には、下板に設けられる突起部を係合して三つ折り状態を維持するとともに係合を解いて三つ折り状態を解放するプッシュ部材を上箱の外側へ付勢するようにカバーする外装部材と、外装部材を上箱に取り付ける取付ピンを備え、外装部材が突起部を挿入するために設ける挿入孔を有しない裏面側にプッシュ部材の付勢を規制する規制部を有し、
下板には、反中板側端部へ回動自在に取り付けられて上箱の上面に当接するロック部材を備え、上箱に当接したロック部材が上箱から表出するプッシュ部材のプッシュ部を覆い隠すとともに、上箱に当接したロック部材の係合孔が上箱から突出する取付ピンの両端部に嵌合することを特徴とする時計バンド用プッシュ式中留。
【請求項２】
規制部は、外装部材の両端に取付ピンを挿通するために設けられた筒部から延伸する外装部材端部の一部を折曲した爪部からなることを特徴とする請求項１記載の時計バンド用プッシュ式中留。
【請求項３】
プッシュ部が上箱の側面から突出していないことを特徴とする請求項１又は２記載の時計バンド用プッシュ式中留。
【請求項４】
プッシュ部が上箱の片側面又は両側面にあることを特徴とする請求項１、２又は３記載の時計バンド用プッシュ式中留。
【請求項５】
請求項１から４のいずれかに記載の時計バンド用プッシュ式中留を備えたことを特徴とする時計バンド。
【考案の詳細な説明】
【技術分野】
【０００１】
本願考案は、三つ折りされる上箱と中板と下板とを備えた時計バンド用プッシュ式中留構造に関するものである。
【背景技術】
【０００２】
従来、三つ折りされる上箱と中板と下板とを備えた時計バンド用プッシュ式中留構造については、次のような先行技術があった。
（１）特許文献１には、プッシュ部材（プッシュプレート）の飛び出しを防止する同中留構造について開示されている。
（２）特許文献２には、ダブルロック式の同中留構造について開示されている。
【０００３】
【特許文献１】実用新案登録第３０３０９１４号公報
【特許文献２】実用新案登録第３００１８９０号公報
【考案の開示】
【考案が解決しようとする課題】
【０００４】
しかしながら、上記する時計バンド用プッシュ式中留構造については、以下のような課題があった。
（１）特許文献１に関連しては、プッシュ部材の飛び出しを防止するために、特許文献１で開示された中留構造の他に、プッシュ部材をカバーする外装部材に爪部を形成してプッシュ部材の移動を規制させて飛び出しの防止構造とすることが多い。この場合、図４に示すように、下板に設けられた突起部を挿入する挿入孔８０の他に、この爪部を形成するための爪部形成孔８１，８１が２個所設けることがある。しかし、この中留構造では、上箱裏に計３つの孔が開いてしまい、見栄えが悪いという外観上の課題があった。
（２）特許文献２に関連しては、図５に示す特許文献２のダブルロック式の一方のロック構造であるダブルロック枠１０が上箱３の凹み３ｃに嵌入して掛止される。しかし、ダブルロック枠１０を掛止するためには、上箱３にばね棒９を張設して、その両端９ａ，９ｂを側板３ａ，３ｂから突出させて、ダブルロック枠１０の止孔１１ａ，１１ｂをこの突出部分（９ａ，９ｂ）に嵌入させる必要があり、別途、ばね棒９という部材が必要となる部品上の課題があった。
（３）また、この他に、時計バンド用プッシュ式中留構造では、プッシュ部が露出しているために、このプッシュ部が何らかの接触又は誤作動を起こし、三つ折り状態の係合が解かれてしまうおそれがあるという安全上の課題があった。
【０００５】
そこで、本願考案者は、上記課題を解決することを目的として、本願考案を完成するに至った。
【課題を解決するための手段】
【０００６】
上記目的を達成するために、第１の考案は、三つ折りされる上箱と中板と下板とを備えた時計バンド用プッシュ式中留であって、上箱には、下板に設けられる突起部を係合して三つ折り状態を維持するとともに係合を解いて三つ折り状態を解放するプッシュ部材を上箱の外側へ付勢するようにカバーする外装部材と、外装部材を上箱に取り付ける取付ピンを備え、外装部材が突起部を挿入するために設ける挿入孔を有しない裏面側にプッシュ部材の付勢を規制する規制部を有し、下板には、反中板側端部へ回動自在に取り付けられて上箱の上面に当接するロック部材を備え、上箱に当接したロック部材が上箱から表出するプッシュ部材のプッシュ部を覆い隠すとともに、上箱に当接したロック部材の係合孔が上箱から突出する取付ピンの両端部に嵌合することを特徴とするものである。
第２の考案は、規制部が、外装部材の両端に取付ピンを挿通するために設けられた筒部から延伸する外装部材端部の一部を折曲した爪部からなることを特徴とする同時計バンド用プッシュ式中留である。
第３の考案は、プッシュ部が上箱の側面から突出していないことを特徴とする同時計バンド用プッシュ式中留である。
第４の考案は、プッシュ部が上箱の片側面又は両側面にあることを特徴とする同時計バンド用プッシュ式中留である。
第５の考案は、上記第１〜４の時計バンド用プッシュ式中留を備えたことを特徴とする時計バンドである。
【考案の効果】
【０００７】
本願考案によれば、以下のような効果を有する。
（１）本願考案の中留構造では、上箱裏には下板に設けられた突起部用の挿入孔が１つ開くのみで、外観上の見栄えとして問題なくなる。
（２）また、外装部材を上箱に取り付ける取付ピンの両端部が、ロック部材の係合孔に嵌合し上箱に当接状態で掛止するので、取付ピンが２役を果たすことになり、ロック部材の掛止用部品を不要とする。
（３）さらに、上箱に当接したロック部材がプッシュ部を覆い隠すので、プッシュ部が何らかの接触又は誤作動を起こすことを防止し、三つ折り状態の係合を確実に保持できて安全性を向上させる。
【考案を実施するための最良の形態】
【０００８】
本願考案の実施形態を図面に基づいて説明する。
図１は、本願考案に係る時計バンド用プッシュ式中留を示す説明図（その１）である。
図１に示すように、時計バンド用プッシュ式中留１５は、三つ折りされる上箱２０と中板５０と下板６０とを備える。そして、上箱２０は、下板６０に設けられる突起部６１を係合して三つ折り状態を維持する。さらに、下板６０は、反中板側端部６２へ回動自在に取り付けられて上箱２０の凹状になっている上面２１に当接するロック部材７０を備える。このロック部材７０は、上箱２０の上面２１に当接することで三つ折り状態の維持を確実にするダブルロックの効果を果たすとともに、上箱２０から表出するプッシュ部材のプッシュ部３１，３１を覆い隠すことで、プッシュ部３１が何らかの接触又は誤作動を起こすことを防止する。ここで、プッシュ部３１は、上箱２０の側面２２，２２から突出しないように側面内に収まっている。また、プッシュ部３１は上箱２０の両側面２２，２２にあるが、片側面２２のみにある構造であってもよい。
【０００９】
図２は、本願考案に係る時計バンド用プッシュ式中留を示す説明図（その２）であり、上箱２０の裏側を示すものである。上箱２０には、下板６０の突起部６１を係合して三つ折り状態を維持するとともに係合を解いて三つ折り状態を解放するプッシュ部材３０，３０を上箱２０の外側へ付勢するようにカバーする外装部材３２を備える。この外装部材３２は、その両端に形成された筒部３３，３３に取付ピン４０，４２を挿通し、上箱２０に取り付けられる。この時、中板５０側の取付ピン４０は、上箱２０から両端部４１，４１を突出させて、その突出する両端部４１，４１にロック部材７０の係合孔７１，７１が嵌合することで、ロック部材７０を上箱２０に当接状態で掛止する（図１参照）。これにより、取付ピン４０が２役を果たすことになり、ロック部材７０の掛止用部品を不要にできる。
【００１０】
図３は、本願考案に係る時計バンド用プッシュ式中留を示す説明図（その３）であり、プッシュ部材３０，３０をカバーした外装部材３２を示すものである。
図２に示すように、上箱２０の裏側には、下板６０に設けられた突起部６１用の挿入孔３４が１箇所のみ開いている。前述したように、通常は図４に示すような爪部形成孔８１，８１も穿孔され、外観上の課題となっている。しかしながら、本願考案では、図３に示すように、挿入孔３４を有しない外装部材３２の裏面側にあって、筒部３３，３３から延伸する外装部材端部３５，３５の一部を折曲して爪部３６，３６，３６，３６を形成し、これが弾性部材３８，３８によって上箱２０の外側へ付勢するプッシュ部材３０，３０の移動を規制する規制部となる。その結果、上箱裏には突起部６１用の挿入孔３４が１箇所開くのみで、爪部形成孔は現れず、外観上の問題を解消できる。
【産業上の利用可能性】
【００１１】
本願考案は、三つ折りされる上箱と中板と下板とを備えた時計バンド用プッシュ式中留に幅広く利用されるものである。なお、時計バンドのバンド部分は、金属，皮革，樹脂等特に限定するものではない。
【図面の簡単な説明】
【００１２】
【図１】本願考案に係る時計バンド用プッシュ式中留を示す説明図（その１）。
【図２】本願考案に係る時計バンド用プッシュ式中留を示す説明図（その２）。
【図３】本願考案に係る時計バンド用プッシュ式中留を示す説明図（その３）。
【図４】従来技術を説明するための説明図（その１）。
【図５】従来技術を説明するための説明図（その２）。
【符号の説明】
【００１３】
１５  時計バンド用プッシュ式中留
２０  上箱    ２１  上面    ２２  側面
３０  プッシュ部材    ３１  プッシュ部    ３２  外装部材    ３３  筒部
３４  挿入孔    ３５  外装部材端部    ３６  爪部    ３８  弾性部材
４０  取付ピン（中板側）    ４１  端部    ４２  取付ピン（反中板側）
５０  中板
６０  下板    ６１  突起部    ６２  反中板側端部
７０  ロック部材    ７１  係合孔
８０  挿入孔    ８１  爪部形成孔
【図１】
0003143552.tif 000003
【図２】
0003143552.tif 000004
【図３】
0003143552.tif 000005
【図４】
0003143552.tif 000006
【図５】
0003143552.tif 000007